(57)【特許請求の範囲】
【請求項１】
複数の光源を含む光源ユニットと、
囲み形状となり、上記光源からの光を受光する受光センサユニットと、
上記受光センサユニットにて囲まれる囲み領域に重なる対象物の影を、上記受光センサユニットの受光データから検出し、その影に基づくデータを用いて、三角測量法で、上記対象物の位置を検出する位置検出ユニットと、
を含む位置検出システムにあって、
上記位置検出ユニットが、
複数有る上記光源を、複数の組に分け、組毎に点灯させ、
１回目の点灯で上記遮蔽物を基に生じ、上記受光センサユニットで検出される影の全個数、または、１回目および２回目の点灯で、上記遮蔽物を基に生じ、上記受光センサユニットで検出される影の全個数に応じて、次の点灯の有無を決定し、
複数の上記組の１つには、２個の光源を含む２個型組が有り、
上記２個型組の上記光源による１回目の点灯で、上記影の全個数が０個または２個の場合、２回目となる次の点灯が行なわれず、上記２個型組の上記光源による点灯で生じた上記影のデータで、単数の上記対象物の位置が検出される位置検出システム。
【請求項２】
上記２個型組の上記光源による１回目の点灯で、上記影の全個数が３個以上の場合、別の上記組における上記光源による２回目となる次の点灯が行われ、
上記２個型組の上記光源による点灯で生じた上記影のデータと、２回目以降の上記別の組における上記光源による点灯で生じた上記影のデータとで、複数の上記対象物の位置が検出される請求項１に記載の位置検出システム。
【請求項３】
複数の光源を含む光源ユニットと、
囲み形状となり、上記光源からの光を受光する受光センサユニットと、
上記受光センサユニットにて囲まれる囲み領域に重なる対象物の影を、上記受光センサユニットの受光データから検出し、その影に基づくデータを用いて、三角測量法で、上記対象物の位置を検出する位置検出ユニットと、
を含む位置検出システムにあって、
上記位置検出ユニットが、
複数有る上記光源を、複数の組に分け、組毎に点灯させ、
１回目の点灯で上記遮蔽物を基に生じ、上記受光センサユニットで検出される影の全個数、または、１回目および２回目の点灯で、上記遮蔽物を基に生じ、上記受光センサユニットで検出される影の全個数に応じて、次の点灯の有無を決定し、
複数の上記組の２個には、１個の光源を含む１個型組が有り、
１つ目の上記１個型組による１回目の点灯と、２つ目の別の上記１個型組による２回目の点灯とで、上記影の全個数が０個または２個の場合、３回目となる次の点灯が行なわれず、２回の上記１個型組の上記光源による点灯で生じた上記影のデータで、単数の上記対象物の位置が検出される位置検出システム。
【請求項４】
１つ目の上記１個型組による１回目の点灯と、２つ目の別の上記１個型組による２回目の点灯とで、上記影の全個数が３個以上の場合、３回目となる次の点灯が行われ、
１回目および２回目の上記１個型組の上記光源による点灯で生じた上記影のデータと、３回目以降のさらに別の上記１個型組における上記光源による点灯で生じた上記影のデータとで、複数の上記対象物の位置が検出される請求項３に記載の位置検出システム。
【請求項５】
請求項１〜４のいずれか１項に記載の位置検出システムを搭載する表示パネル。
【請求項６】
請求項５に記載の表示パネルを搭載する表示装置。
【発明の詳細な説明】
【技術分野】
【０００１】
本発明は、対象物の位置を検出する位置検出システム、および、その位置検出システムを搭載する表示パネル（液晶表示パネル等）、さらには、表示パネルを搭載する表示装置（液晶表示装置等）に関する。
【背景技術】
【０００２】
昨今の液晶表示装置は、指等が触れることで、様々な指示を液晶表示装置に設定できるタッチパネルを搭載することがある（例えば、特許文献１）。このようなタッチパネルにおける指等の対象物の位置検出システムの仕組みは様々である。【０００３】
位置検出システムの一例を、図１２を用いて説明する。この図に示すような位置検出システムは、括弧状（“［”状）に配置されたラインセンサユニット１２２Ｕ（ラインセンサ１２２Ａ〜１２２Ｃの集合体）と、そのラインセンサユニット１２２Ｕに囲まれた領域ｍａに、光を供給する２つのＬＥＤ１２３（１２３Ａ・１２３Ｂ）と、を含む。【０００４】
そして、領域ｍａに指等の対象物（１）が置かれると、ＬＥＤ１２３Ａ・１２３Ｂからの光が遮られることで影が生じ、その影をラインセンサユニット１２２Ｕが検知する。さらに、この影と影を生じさせたＬＥＤ１２３とが結ばれることで形成される線（結線ｓＬ）を利用して、対象物（１）の位置が特定される（具体的には、結線ｓＬａ１と結線ｓＬｂ１との交点が、対象物（１）の位置として特定される）。【０００５】
この位置検出過程を詳説すると、図１３のフローチャートのようになる。すなわち、まず、ＬＥＤ１２３Ａが点灯し(STEP１０１)、次に、ラインセンサユニット１２２Ｕにおける影の個数がカウントされる（STEP１０２）。この後、ＬＥＤ１２３Ａは消灯され（STEP１０３）、次に、ＬＥＤ１２３Ｂが点灯し(STEP１０４)、再びラインセンサユニット１２２Ｕにおける影の個数がカウントされ（STEP１０５）、この後、ＬＥＤ１２３Ｂは消灯される（STEP１０６）。【０００６】
そして、影の個数が“０”個の場合、対象物は無いので、位置検出が行われず（STEP１０７のＹＥＳ）、影の個数が“２”個の場合、１つの対象物があるので、その対象物（１）の位置検出が行われる（STEP１０７のＮＯ→STEP１０８；なお、領域ｍａに、１個の対象物が置かれることを、シングルタッチと称する）。
【先行技術文献】
【特許文献】
【０００７】
【特許文献１】特開２０００−１０５６７１号公報
【発明の概要】
【発明が解決しようとする課題】
【０００８】
ところで、以上のような位置検出システムの場合、図１４に示すように、領域ｍａに、２つの対象物（１）（２）が置かれると、ＬＥＤ１２３Ａの光を受けることで、結線ｓＬａ１と結線ｓＬａ２とが生じ、かつ、ＬＥＤ１２３Ｂの光を受けることで、結線ｓＬｂ１と結線ｓＬｂ２とが生じる（なお、領域ｍａに、２個の対象物が置かれることを、マルチタッチと称する）。【０００９】
すると、図１４に示すように、結線ｓＬａ１、ｓＬｂ１、ｓＬａ２、ｓＬｂ２の交差により生じる交点のうち、２つの交点（□で示す交点）は、対象物（１）（２）の位置を反映しない。したがって、この位置検出システムＰＭでは、複数の対象物（１）（２）の正確な位置検出ができない。その上、この位置検出システムは、図１３のフローチャートに示すように、ＬＥＤ１２３Ａを１回点灯させた後に、消灯し、さらに、ＬＥＤ１２３Ｂの１回点灯させた後に消灯させるため、比較的位置検出に要する時間が長くなる。【００１０】
本発明は、上記の問題点を解決するためになされたものである。そして、その目的は、位置検出に要する時間を短縮可能な位置検出システム等を提供することにある。
【課題を解決するための手段】
【００１１】
位置検出システムは、複数の光源を含む光源ユニットと、囲み形状になって、光源からの光を受光する受光センサユニットと、受光センサユニットにて囲まれる囲み領域に重なる対象物の影を、受光センサユニットの受光データから検出し、その影に基づくデータを用いて、三角測量法で、対象物の位置を検出する位置検出ユニットと、を含む。【００１２】
そして、この位置検出システムでは、位置検出ユニットが、複数有る光源を、複数の組に分け、組毎に点灯させ、１回目の点灯で対象物を基に生じ、受光センサユニットで検出される影の全個数、または、１回目および２回目の点灯で、対象物を基に生じ、受光センサユニットで検出される影の全個数に応じて、次の点灯の有無を決定する。【００１３】
このようになっていると、影の個数に応じて、位置検出時間が変えられる。そのため、位置検出時間の短縮化も可能になる。【００１４】
例えば、対象物の個数が、０個、１個、または２個の場合、それぞれの対象物の個数に応じて、影の個数も変わってくる。詳説すると、複数の組の１つには、２個の光源を含む２個型組が有り、２個型組の光源による１回目の点灯で、影の全個数が０個または２個の場合、２回目となる次の点灯が行なわれず、２個型組の光源による点灯で生じた影のデータで、単数の対象物の位置が検出されると望ましい。【００１５】
通常、２個の光源に基づく影の全個数が０個の場合、対象物は０個なので、当然、位置検出を行わなくてもよい。また、２個の光源に基づく影の全個数が２個の場合、対象物は１個なので、比較的簡単な位置検出で、早期に対象物の位置が検出される。そのため、このような位置検出システムは、例えば、対象物が単数であるにもかかわらず、全光源の個別点灯を要する位置検出システムに比べて、早期に対象物の位置を検出する。【００１６】
一方で、２個型組の光源による１回目の点灯で、影の全個数が３個以上の場合、別の組における光源による２回目となる次の点灯が行われ、２個型組の光源による点灯で生じた影のデータと、２回目以降の別の組における光源による点灯で生じた影のデータとで、複数の対象物の位置が検出されると望ましい。【００１７】
通常、２個の光源に基づく影の全個数が３個以上の場合、対象物は２個以上である。そのため、このような場合に限って、位置検出に要する２回目の点灯が行われ、その点灯により生じた影を用いて、位置検出ユニットが、複数の対象物の位置検出を行う。つまり、対象物が２個以上の場合は、時間を延長させて位置検出を行うが、それ以外の場合は位置検出時間を短縮させる。【００１８】
また、この位置検出システムでは、光源は３個以上であるが、位置検出のために２回しか点灯しない。そのため、この位置検出システムは、例えば、３個の光源を個別に点灯して（要は３回以上点灯して）、対象物の位置検出を行う位置検出システムに比べて、早期に対象物の位置を検出することができる。【００１９】
また、位置検出システムでは、複数の組の２個には、１個の光源を含む１個型組が有り、１つ目の１個型組による１回目の点灯と、２つ目の別の１個型組による２回目の点灯とで、影の全個数が０個または２個の場合、３回目となる次の点灯が行なわれず、２回の１個型組の光源による点灯で生じた影のデータで、単数の対象物の位置が検出されると望ましい。【００２０】
このようになっていると、上述同様、２個の光源に基づく影の全個数が０個の場合、対象物は０個なので、当然、位置検出を行わなくてもよく、また、２個の光源に基づく影の全個数が２個の場合、対象物は１個なので、比較的簡単な位置検出で、早期に対象物の位置が検出される。そのため、このような位置検出システムは、例えば、対象物が単数であるにもかかわらず、全光源の個別点灯を要する位置検出システムに比べて、早期に対象物の位置を検出する。【００２１】
また、１つ目の１個型組による１回目の点灯と、２つ目の別の１個型組による２回目の点灯とで、影の全個数が３個以上の場合、３回目となる次の点灯が行われ、１回目および２回目の１個型組の光源による点灯で生じた影のデータと、３回目以降のさらに別の１個型組における光源による点灯で生じた影のデータとで、複数の対象物の位置が検出されると望ましい。【００２２】
このようになっていると、対象物は、常に、単数の光源で照らされるために、受光センサユニットに検出される影の暗さ（暗度）は濃い。すなわち、１つの光源によって生じた影が、別の光源によって照らされることがない。そのため、受光センサユニットの影の検出精度が高まり、ひいては、対象物の位置検出精度も高まる。【００２３】
なお、以上のような位置検出システムを搭載する表示パネルも本発明といえ、さらには、その表示パネルを搭載する表示装置も本発明といえる。
【発明の効果】
【００２４】
本発明の位置検出システムによると、位置検出の対象物に対する位置検出時間（位置検出の周期時間）の短縮が図れる。
【図面の簡単な説明】
【００２５】
【図１】位置検出システムの位置検出過程を示すフローチャートである。
【図２Ａ】複数の対象物に対してＬＥＤ２３Ａ・２３Ｂが発光した場合の対象物の影を示した平面図である。
【図２Ｂ】単数の対象物に対してＬＥＤ２３Ａ・２３Ｂが発光した場合の対象物の影を示した平面図である。
【図２Ｃ】複数の対象物に対してＬＥＤ２３Ｃが発光した場合の対象物の影を示した平面図である。
【図３】図２Ａおよび図２Ｃにおける結線を主体的に示した平面図である。
【図４】位置検出システムの位置検出過程を示すフローチャートである。
【図５Ａ】ＬＥＤ２３Ａが発光した場合の対象物の影を示した平面図である。
【図５Ｂ】ＬＥＤ２３Ｂが発光した場合の対象物の影を示した平面図である。
【図５Ｃ】ＬＥＤ２３Ｃが発光した場合の対象物の影を示した平面図である。
【図６】液晶表示装置の部分断面図である。
【図７】位置検出システムの平面図と、この位置検出システムの制御に要するマイコンユニットのブロック図とを、併記した説明図である。
【図８Ａ】ラインセンサユニットを示す平面図である。
【図８Ｂ】座標マップ領域を示す平面図である。
【図９Ａ】座標マップ領域を示す平面図である。
【図９Ｂ】ラインセンサユニットの信号強度を示すグラフを並べた説明図である。
【図１０】結線を示す平面図である。
【図１１】液晶表示装置の部分断面図である。
【図１２】従来の位置検出システムでのシングルタッチでの位置検出を説明する平面図である。
【図１３】従来の位置検出システムでの位置検出過程を示すフローチャートである。
【図１４】従来の位置検出システムでのマルチタッチでの位置検出を説明する平面図である。
【発明を実施するための形態】
【００２６】
［第１実施形態］
第１実施形態について、図面に基づいて説明すれば、以下の通りである。なお、便宜上、部材やハッチング、さらには、部材符号等を省略する場合もあるが、かかる場合、他の図面を参照するものとする（例えば、後述のラインセンサ２２を受光チップＣＰのみで図示することもある）。逆に、便宜上、断面図ではないが、ハッチングを用いることもある。また、矢印に併記される黒丸は、紙面に対して垂直方向を意味する。
【００２７】
図６は、液晶表示装置［表示装置］６９の部分断面図である。この図に示すように、液晶表示装置６９は、バックライトユニット［照明装置］５９と液晶表示パネル［表示パネル］４９とを含む。
【００２８】
バックライトユニット５９は、例えばＬＥＤ（Light  Emitting  Diode）または蛍光管のような光源を搭載する照明装置で、非発光型の表示パネルである液晶表示パネル４９に対して、光（バックライト光ＢＬ）を照射する。
【００２９】
光を受ける液晶表示パネル４９は、液晶４１を挟み込むアクティブマトリックス基板４２と対向基板４３とを含む。また、アクティブマトリックス基板４２には、図示されていないが、ゲート信号線とソース信号線とが互いに交差するように配置され、さらに、両信号線の交差点には、液晶（液晶層）４１に対する印加電圧調整に要するスイッチング素子（例えば、Thin  Film  Transistor）が配置される。
【００３０】
また、アクティブマトリックス基板４２の受光側、対向基板４３の出射側には、偏光フィルム４４が取り付けられる。そして、以上のような液晶表示パネル４９は、印加電圧に反応した液晶分子４１の傾きに起因する光透過率の変化を利用して、画像を表示する。
【００３１】
また、この液晶表示パネル４９には、位置検出システムＰＭも搭載される（なお、この位置検出システムＰＭを搭載する液晶表示パネル４９をタッチパネル４９と称してもよい）。この位置検出システムＰＭは、図６に示すような指が液晶表示パネル４９上のどこにあるかを検出するシステムである。
【００３２】
ここで、この位置検出システムＰＭについて、図６と図７とを用いて詳説する（図７は、位置検出システムＰＭの平面図と、この位置検出システムＰＭの制御に要するマイコンユニット１１のブロック図とを、併記した説明図である）。
【００３３】
位置検出システムＰＭは、保護シート２１、ラインセンサユニット［受光センサユニット］２２Ｕ、ＬＥＤユニット［光源ユニット］２３Ｕ、およびマイコンユニット１１を含む。
【００３４】
保護シート２１は、液晶表示パネル４９の対向基板４３（詳説すると、対向基板４３上の偏光フィルム４４）を覆うシートである。この保護シート２１は、指のような対象物が液晶表示パネル４９の表示面側に配置されることで、指と表示面との間に介在し、液晶表示パネル４９に対する傷等を防ぐ。
【００３５】
ラインセンサユニット２２Ｕは、保護シート２１上にて、受光チップＣＰを線状に配置させたラインセンサ２２（２２Ａ・２２Ｂ・２２Ｃ）を３つ、並べたユニットである（ただし、３つのラインセンサ２２Ａ〜２２Ｃが一連状に一体化してもかまわない）。詳説すると、ラインセンサユニット２２Ｕは、ラインセンサ２２Ａ〜２２Ｃを、一定領域を囲むような形（囲み形状）で配置させる。ただし、ラインセンサユニット２２Ｕの配置形状は、一定領域を囲む囲み形状であれば、特に限定されない。
【００３６】
例えば、ラインセンサユニット２２Ｕは、図７に示すように、対向配置されたラインセンサ２２Ａおよびラインセンサ２２Ｂと、ラインセンサ［サイド型線状受光センサ］２２Ａからラインセンサ［サイド型線状受光センサ］２２Ｂまでの間に架け渡るラインセンサ［架橋型線状受光センサ］２２Ｃと、を含むことで、ラインセンサ２２Ａ〜２２Ｃを、一定領域を囲む括弧状（“［”状）に配置させる（要は、ラインセンサ２２Ａ、ラインセンサ２２Ｃ、ラインセンサ２２Ｂが、一連状になりつつ、括弧状に配置される）。
【００３７】
なお、ラインセンサユニット２２Ｕにおけるラインセンサ２２Ａ〜２２Ｃで囲まれる矩形の領域を、座標マップ領域ＭＡとする。また、ラインセンサ２２Ｃのライン方向をＸ方向、ラインセンサ２２Ａ・２２Ｂのライン方向をＹ方向、Ｘ方向およびＹ方向に交差（直交等）する方向をＺ方向とする。
【００３８】
ＬＥＤユニット２３Ｕは、保護シート２１上にて、３つのＬＥＤ２３（２３Ａ〜２３Ｃ）を、列状に配置させたユニットである。詳説すると、ＬＥＤユニット２３Ｕは、ＬＥＤ［点状光源］２３Ａ〜２３Ｃを互いに間隔を空けつつ、ラインセンサ２２Ｃに対向するように配置させる｛すなわち、ＬＥＤ２３Ａ〜２３Ｃは、ラインセンサ２２Ｃのライン方向（Ｘ方向）に沿って列状に並び、かつ、ラインセンサユニット２２Ｕの配置形状である括弧状の開口を塞ぐように並ぶ｝。
【００３９】
そして、ＬＥＤ２３Ａ〜２３Ｃは、出射光［光源光］の進行方向を、保護シート２１のシート面（Ｘ方向とＹ方向とで規定されるＸＹ面方向）に沿わせるとともに、ラインセンサ２２Ａ〜２２Ｃに囲まれた座標マップ領域ＭＡに向ける。
【００４０】
なお、ラインセンサ２２Ｃに隣り合わないラインセンサ２２Ａの一端付近に、ＬＥＤ２３Ａが配置されることで、ＬＥＤ２３Ａの出射光は、座標マップ領域ＭＡに行き渡る。また、ラインセンサ２２Ｃに隣り合わないラインセンサ２２Ｂの一端付近に、ＬＥＤ２３Ｂが配置されることで、ＬＥＤ２３Ｂの出射光は、座標マップ領域ＭＡに行き渡る。また、ラインセンサ２２Ａの一端とラインセンサ２２Ｂの一端との間に、ＬＥＤ２３Ｃが配置されることで、ＬＥＤ２３Ｃの出射光は、座標マップ領域ＭＡに行き渡る。
【００４１】
なお、ラインセンサユニット２２Ｕ（ライセンサ２２Ａ〜２２Ｃ）およびＬＥＤユニット２３Ｕ（すなわち、ＬＥＤ２３Ａ〜２３Ｃ）には、外部への光漏れを抑えるために、遮光フィルムＢＦが取り付けられているとよい。例えば、図６に示すように、外部に面するラインセンサ２２の外面、および、外部に面するＬＥＤ２３の外面に、遮光フィルムＢＦが貼られているとよい（なお、図６は、ラインセンサ２２ＣおよびＬＥＤ２３Ｃを視認可能にした断面図である）。
【００４２】
マイコンユニット１１は、位置検出システムＰＭを制御するものであり、ＬＥＤドライバー１７と位置検出ユニット１２とを含む。
【００４３】
ＬＥＤドライバー１７は、ＬＥＤユニット２３ＵのＬＥＤ２３Ａ〜２３Ｃに対して動作電流を供給するドライバーである。
【００４４】
位置検出ユニット１２は、メモリ１３、検知管理部１４、結線設定部１５、および位置特定部１６を含む。
【００４５】
メモリ１３は、座標マップ領域ＭＡに指等の対象物が配置された場合、その指等の位置を特定するために、その座標マップ領域ＭＡを記憶する。座標マップ領域ＭＡは、例えば、図８Ａに示すような、括弧状配置のラインセンサ２２Ａ〜２２Ｃに組み込まれる受光チップＣＰの個数で規定される。
【００４６】
例えば、ラインセンサ２２Ａに受光チップＣＰがｍ個、ラインセンサ２２Ｂに受光チップＣＰがｍ個、ラインセンサ２２Ｃに受光チップＣＰがｎ個、含まれるとする（なお、ｎ、ｍともに複数である）。そして、このラインセンサユニット２２Ｕでは、平行配置のラインセンサ２２Ａ・２２Ｂにて、ラインセンサ２２Ａの最外の受光チップＣＰとラインセンサ２２Ｂの最外の受光チップＣＰとが、Ｘ方向に沿って向かい合う。さらに、ラインセンサ２２Ｃは、向かい合ったラインセンサ２２Ａ・２２Ｂにおける最外の受光チップＣＰ同士の間に架け渡る。
【００４７】
すると、ラインセンサ２２Ａ〜２２Ｃにおける受光チップＣＰ毎の幅Ｗを、各受光チップＣＰを含むラインセンサ２２Ａ〜２２Ｃのライン方向に対して直交する方向に延ばした大区画領域で、座標マップ領域ＭＡは区分けされる。
【００４８】
詳説すると、ラインセンサ２２Ａにおける受光チップＣＰ毎の幅Ｗは、Ｘ方向に延びてｍ個の大区画領域になり、ラインセンサ２２Ｂにおける受光チップＣＰ毎の幅Ｗは、Ｘ方向に延びてｍ個の大区画領域になる（なお、ラインセンサ２２Ａに含まれる受光チップＣＰに基づく大区画領域と、ラインセンサ２２Ｂに含まれる受光チップＣＰに基づく大区画領域とは、一致する）。また、ラインセンサ２２Ｃにおける受光チップＣＰ毎の幅Ｗは、Ｙ方向に延びてｎ個の大区画領域になる。
【００４９】
そして、これらの大区画領域の重なる領域を小区画とすると、座標マップ領域ＭＡが、図８Ｂに示すように、小区画で埋め尽くされた領域になる（別表現すると、マトリックス状の小区画を有する座標マップ領域ＭＡが形成される）。そして、このような座標マップ領域ＭＡが形成されることで、この座標マップ領域ＭＡにおける指等の位置が特定可能になる。
【００５０】
なお、矩形の座標マップ領域ＭＡにおける長手方向はＸ方向に沿い、短手方向はＹ方向に沿う。そして、隣り合うラインセンサ２２Ａおよびラインセンサ２２Ｃにおいて、ラインセンサ２２Ｃの端に隣り合わないラインセンサ２２Ａの端に位置する受光チップＣＰに基づく大区画領域と、ラインセンサ２２Ａの端に隣り合うラインセンサ２２Ｃの端に位置する受光チップＣＰに基づく大区画領域と、で特定される小区画を、便宜上、基準区画Ｅとし、その位置をＥ（Ｘ，Ｙ）＝Ｅ（１，１）と表現する（なお、この基準区画Ｅの位置に、ＬＥＤ２３Ａの出射点が重なると解釈できる）。
【００５１】
また、基準区画Ｅと同じＹ方向（Ｙ座標）上の位置で、Ｘ方向（Ｘ座標）上における最大の位置にある区画を、区画Ｆとし、その位置をＦ（Ｘ，Ｙ）＝Ｆ（Ｘｎ，１）と表現する（ｎは、ラインセンサ２２Ｃにおける受光チップＣＰの数の個数と同じである）。なお、この区画Ｆの位置に、ＬＥＤ２３Ｂの出射点が重なると解釈でき、基準区画Ｅと区画Ｆとの中間の区画（区画Ｊ）に、ＬＥＤ２３Ｃの出射点が重なると解釈できる。
【００５２】
また、基準区画Ｅと同じＸ方向上の位置で、Ｙ方向上における最大の位置である区画を、区画Ｇとし、その位置をＧ（Ｘ，Ｙ）＝Ｆ（１，Ｙｍ）と表現する（ｍは、ラインセンサ２２Ａ・２２Ｂにおける受光チップＣＰの数の個数と同じである）。また、Ｘ方向上における最大の位置で、Ｙ方向上における最大の位置である区画を、区画Ｈとし、その位置をＨ（Ｘ，Ｙ）＝Ｈ（Ｘｎ，Ｙｍ）と表現する。
【００５３】
検知管理部１４は、ＬＥＤドライバー１７を介して、ＬＥＤユニット２３Ｕを制御するとともに、ラインセンサユニット２２Ｕを介して、そのラインセンサユニット２２Ｕにおける受光状態を判断する。詳説すると、検知管理部１４は、制御信号で、ＬＥＤ２３Ａ〜２３Ｃの発光タイミングおよび発光時間等を制御するととともに、ラインセンサ２２Ａ〜２２Ｃの受光信号の値（信号強度）からラインセンサ２２Ａ〜２２Ｃに生じた影の個数をカウントする［影カウント工程］。
【００５４】
例えば、図９Ａに示すように、座標マップ領域ＭＡにおける指等（対象物（１）（２））がＬＥＤ２３Ａからの光を受けることで、影が生じた場合、その影はＬＥＤ２３Ａからの光の進行方向に沿って延び、ラインセンサユニット２２Ｕにおけるラインセンサ２２Ｂ・２２Ｃ到達する｛なお、対象物（遮蔽物）（１）（２）に連なる濃いハッチング部分が影を意味し、それ以外の薄いハッチングは光が照射されている領域を意味し、ハッチングの施されたＬＥＤ２３Ａは発光していることを意味する｝。
【００５５】
すると、図９Ｂに示すように、ラインセンサユニット２２Ｕにおける受光データ（受光信号）に変化領域Ｖ１・Ｖ２が生じる（なお、図中に受光データを示すグラフの配置は、ラインセンサ２２Ａ〜２２Ｃの位置に合わせる）。検知管理部１４は、ラインセンサユニット２２Ｕにおける受光データ（データ信号の信号強度）に生じる変化領域Ｖ１・Ｖ２の数で、ラインセンサユニット２２Ｕに重なる影の個数をカウントする。
【００５６】
また、検知管理部１４は、メモリ１３から取得した座標マップ領域ＭＡのデータ（マップデータ）から、影が座標マップ領域ＭＡの最外の線状領域のどの区画を占めるかを、特定する。
【００５７】
詳説すると、影が、基準区画Ｅから区画Ｇまでの一列状の区画領域、区画Ｇから区画Ｈまでの一列状の区画領域、および、区画Ｈから区画Ｆまでの一列状の区画領域にて、どの区画を連続して占めるかを、検知管理部１４が特定する［特定区画データ設定工程］。そして、検知管理部１４は、座標マップ領域ＭＡにて、特定された区画のデータ（特定区画データ）を、結線設定部１５に送信する。
【００５８】
結線設定部１５は、座標マップ領域ＭＡにて、ラインセンサユニット２２Ｕにおける影のある一点と、その影を作り出すＬＥＤ２３とを結ぶ結線Ｌ（例えば、Ｌａ１・Ｌａ２）を設定する［結線設定工程］。すなわち、検知管理部１４から送信されてきた特定区画データを用いて、座標マップ領域ＭＡにて、１つの影の幅を示す複数の区画における一区画｛例えば、影を示す線状に並ぶ複数区画（特定区画データ）の中間の区画｝と、ＬＥＤ２３の出射点を示す区画とを結ぶ結線を設定する。
【００５９】
例えば、ＬＥＤ２３Ａが発光した場合、図１０に示すように、対象物（１）の影を示す特定区画データにて、両端の区画同士の間の中間区画と、ＬＥＤ２３Ａの出射点を示す区画である基準区画Ｅとが結ばれ、結線Ｌａ１が設定される。また、ＬＥＤ２３Ａが発光した場合、対象物（２）の影を示す特定区画データにて、両端の区画同士の間の中間区画と、ＬＥＤ２３Ａの出射点を示す区画である基準区画Ｅとが結ばれ、結線Ｌａ２が設定される。
【００６０】
なお、ある一点とは、図１０に示すように、例えばラインセンサ２２における影の幅方向、すなわち影の到達する受光チップＣＰの並び方向での中間点が挙げられるが、これに限定されるものではない（この結線Ｌを用いて、指等の対象物の位置を特定する方法の詳細は、後述する）。
【００６１】
位置特定部１６は、結線設定部１５で設定された結線Ｌのデータ（結線データ）を用いて、指等の対象物の位置を特定する［位置特定工程］。具体的には、図１のフローチャート、図２Ａ〜図２Ｃの平面図、および図３の平面図に示すとおりである（なお、図２Ａ〜図２Ｃに示される影を示すハッチングの濃淡は、影の濃さに比例する）。
【００６２】
まず、検知管理部１４が、ＬＥＤドライバー１７を介して、図１に示すように、ＬＥＤ２３ＡとＬＥＤ２３Ｂとを発光させる（STEP１）。すると、図２Ａに示されるように、対象物（１）（２）に対するＬＥＤ２３Ａの光で、２個の影が生じ、対象物（１）（２）に対するＬＥＤ２３Ｂの光でも、２個の影が生じる。そこで、検知管理部１４は、ラインセンサユニット２２Ｕの受光データから影の数を数え、影の合計数は４個であるとカウントする（STEP２；［影カウント工程］）。
【００６３】
そして、検知管理部１４は、２個のＬＥＤ２３Ａ・２３Ｂによって生じた影の数（合計数）が“０”個であるか否かを判断する（STEP３；［対象物有無判断工程］）。なぜなら、影の個数が“０”個の場合、対象物が座標マップ領域ＭＡには置かれていないためである（なお、影の個数が“０”の場合、検知管理部１４は、継続して影の個数を数えられる状態になっている；STEP３のＹＥＳ）。
【００６４】
そして、検知管理部１４が、影の個数を“０”個ではないと判断した場合（STEP３のＮＯ）、次に、影の個数が“２”個であるか否かを判断する（STEP４；［対象物個数判断工程］）。なぜなら、２個の光源であるＬＥＤ２３ＡとＬＥＤ２３Ｂとが発光する場合、図２Ｂに示すように、対象物が１つであると（対象物（１）のみであると）、２個しか影が生じないためである。
【００６５】
ここで、検知管理部１４が、影の個数を“２”個であると判断すると（STEP４のＹＥＳ）、その２個の影に関する特定区画データを結線設定部１５に送信する［特定区画データ設定工程］。そして、以降、対象物が１個である、いわゆるシングルタッチとしての処理が進行する（STEP５）。
【００６６】
詳説すると、結線設定部１５が、図２Ｂに示すように、ＬＥＤ２３Ａの光で生じた影に基づく特定区画データから、結線Ｌａ１を設定し、さらに、ＬＥＤ２３Ｂの光で生じた影に基づく特定区画データから、結線Ｌｂ１を設定する［結線設定工程］。そして、この結線Ｌａ１・Ｌｂ１のデータが、結線設定部１５から位置特定部１６に送信される。
【００６７】
位置特定部１６は、結線設定部１５から送信された結線データから、結線Ｌ同士の交点ＩＰを特定する。この交点ＩＰの位置は、例えば、基準区画Ｅを不動点、基準点Ｅから区画Ｆまでを結ぶ線（Ｘ軸ともいえる）を基線とした三角測量法で、特定される。そして、位置特定部１６は、この交点ＩＰの１箇所を対象物（１）の位置として特定する［位置特定工程］。
【００６８】
一方で、検知管理部１４が、影の個数を“２”個ではない（詳説すると、３個以上）と判断すると（STEP４のＮＯ）、検知管理部１４は、ＬＥＤ２３ＡとＬＥＤ２３Ｂとを消灯させる(STEP６)。また、検知管理部１４は、３つ以上の影に関する特定区画データを結線設定部１５に送信する［特定区画データ設定工程］。例えば、図２Ａに示すように、４個の影が生じている場合、検知管理部１４は、４個の特定区画データを、結線設定部１５に送信する。
【００６９】
さらに、検知管理部１４は、ＬＥＤドライバー１７を介して、ＬＥＤ２３Ｃを点灯させる（STEP７）。すると、図２Ｃに示されるように、対象物（１）（２）に対するＬＥＤ２３Ｃの光で、２個の影が生じる。そこで、検知管理部１４は、ラインセンサユニット２２Ｕの受光データから影の数を数え、影の数は２個であるとカウントする（STEP８；［影カウント工程］）。さらに、また、検知管理部１４は、２個の影に関する特定区画データを結線設定部１５に送信する｛なお、影の数がカウントされた後、検知管理部１４は、ＬＥＤ２３Ｃを消灯させる（STEP９）｝。
【００７０】
そして、以降、対象物が複数個（例えば２個）である、いわゆるマルチタッチとしての処理が進行する（STEP１０）。詳説すると、結線設定部１５が、ＬＥＤ２３Ａの光で生じた影に基づく特定区画データから、結線Ｌａ１・Ｌａ２を設定し、ＬＥＤ２３Ｂの光で生じた影に基づく特定区画データから、結線Ｌｂ１・Ｌｂ２を設定する［結線設定工程］。さらに、結線設定部１５は、ＬＥＤ２３Ｃの光で生じた影に基づく特定区画データから、結線Ｌｃ１・Ｌｃ２を設定する［結線設定工程］。
【００７１】
そして、位置特定部１６は、結線設定部１５から送信された結線データから、結線Ｌ同士の交点ＩＰを特定する。すると、図３に示すように、１１個の交点ＩＰ１〜ＩＰ１１が特定される（なお、白線矢印の先に示す図は拡大部分図である）。これら交点ＩＰの位置は、例えば、基準区画Ｅを不動点、基準点Ｅから区画Ｆまでを結ぶ線を基線とした三角測量法で、特定される。そして、位置特定部１６は、１１個の交点ＩＰのうち、３個の交点ＩＰの密集する箇所を、２箇所特定する（なお、密集と判断する交点ＩＰ同士の間隔の設定は任意である）。
【００７２】
例えば、位置特定部１６は、交点ＩＰ１（結線Ｌａ１と結線Ｌｂ１との交点）、交点ＩＰ２（結線Ｌｂ１と結線Ｌｃ１との交点）、および交点ＩＰ３（結線Ｌｃ１と結線Ｌａ１との交点）を密集する箇所と判断する。また、位置特定部１６は、交点ＩＰ４（結線Ｌａ２と結線Ｌｂ２との交点）、交点ＩＰ５（結線Ｌｂ２と結線Ｌｃ２との交点）、および交点ＩＰ６（結線Ｌｃ２と結線Ｌａ２との交点）を密集する箇所と判断する。そして、これら２箇所が、指等の対象物（１）（２）の位置と特定される［位置特定工程］。
【００７３】
つまり、位置特定部１６を含む位置検出ユニット１２は、ＬＥＤ２３Ａに基づく結線Ｌａ１と、ＬＥＤ２３Ｂに基づく結線Ｌｂ１と、ＬＥＤ２３Ｃに基づく結線Ｌｃ１との交差で生じる交点ＩＰ１〜ＩＰ３の密集領域の一部を１つの対象物（１）の位置と判断し、ＬＥＤ２３Ａに基づく結線Ｌａ２と、ＬＥＤ２３Ｂに基づく結線Ｌｂ２と、ＬＥＤ２３Ｃに基づく結線Ｌｃ２との交差で生じる交点ＩＰ４〜ＩＰ６の密集領域の一部を別の１つの対象物（２）の位置と判断する。
【００７４】
なお、より正確に、対象物（１）（２）の位置の特定を要する場合、交点ＩＰで囲まれた領域、すなわち、交点ＩＰ１〜ＩＰ３を頂点とする三角領域の重心、および、交点ＩＰ４〜ＩＰ６を頂点とする三角領域の重心を対象物（１）（２）の位置としてもよい。
【００７５】
総括すると、位置検出システムＰＭでは、複数のＬＥＤ２３Ａ〜２３Ｃを含むＬＥＤユニット２３Ｕと、囲み形状になって、ＬＥＤ２３からの光を受光するラインセンサユニット２２Ｕと、このラインセンサユニット２２Ｕにて囲まれる囲み領域（すなわち座標マップ領域ＭＡ）に重なる対象物の影を、ラインセンサユニット２２Ｕの受光データから検出し、その影に基づくデータ（特定区画データ、結線データ）を用いて、三角測量法で、対象物の位置を検出する位置検出ユニット１２と、が含まれる。
【００７６】
そして、位置検出ユニット１２は、複数有るＬＥＤ２３Ａ〜２３Ｃを、複数の組、例えば、ＬＥＤ２３ＡおよびＬＥＤ２３Ｂという複数個のＬＥＤ２３を含む１組［２個型組］と、単数個のＬＥＤ２３Ｃのみを含む１組［１個型組］に分け、組毎に点灯させる。さらに、位置検出ユニット１２は、１回目の点灯で対象物を基に生じ、ラインセンサユニット２２Ｕで検出される影の全個数に応じて、次の点灯の有無を決定する（すなわち、［対象物有無判断工程］および［対象物個数判断工程］は、［点灯決定工程］ともいえる）。
【００７７】
例えば、検知管理部１４は、ＬＥＤ２３Ａ〜２３Ｃを２組に分け、ＬＥＤ２３ＡとＬＥＤ２３Ｂとの２個の光源を含む組を、１回目に点灯させる。そして、その点灯で生じる影の全個数が０個または２個の場合、検知管理部１４は２回目となる次の点灯（ＬＥＤ２３Ｃの点灯）を行なわず、ＬＥＤ２３ＡとＬＥＤ２３Ｂとによる点灯で生じた影のデータで、単数の対象物の位置を検出する。
【００７８】
通常、２個のＬＥＤ２３Ａ・２３Ｂに基づく影の全個数が０個の場合、対象物は０個なので、当然、位置検出が行われなくてよい。また、２個のＬＥＤ２３Ａ・２３Ｂに基づく影の全個数が２個の場合、対象物は１個なので、比較的簡単な位置検出で、早期に対象物の位置が検出される。そのため、このような位置検出システムＰＭは、例えば、対象物が単数であるにもかかわらず、全てのＬＥＤの個別点灯（要は、複数回の点灯）を要する位置検出システムに比べて、早期に対象物の位置を検出する。
【００７９】
例えば、３個のＬＥＤを個別に点灯および消灯させ、点灯毎に生じる影に基づく結線Ｌから、結線Ｌ同士の交点ＩＰを求め、１個の対象物の位置を特定するような位置検出システムは、３回の点灯と３回の消灯とを行う（なお、このような位置検出例を、比較例１と称する）。
【００８０】
しかしながら、上述の位置検出システムＰＭでは、図１に示すように、シングルタッチでの対象物の位置検出のために、ＬＥＤ２３ＡとＬＥＤ２３Ｂとが同時に点灯するだけでよい。そのため、この位置検出システムＰＭでのシングルタッチの位置検出過程は、比較例１でのシングルタッチの位置検出過程に比べても、時間が短縮する（要は検出周期が短い）。
【００８１】
また、別の位置検出システムでは、２個のＬＥＤが個別に点灯および消灯し、点灯毎に生じる影に基づく結線Ｌから、結線Ｌ同士の交点ＩＰが求められ、対象物の位置が特定される場合、２回の点灯と２回の消灯が行われる（なお、このような位置検出例を、比較例２と称する；図１２参照）。
【００８２】
しかしながら、上述の位置検出システムでは、図１に示すように、シングルタッチでの対象物の位置検出のために、ＬＥＤ２３ＡとＬＥＤ２３Ｂとが同時に点灯するだけでよい。そのため、この位置検出システムＰＭでのシングルタッチの位置検出過程は、比較例２でのシングルタッチの位置検出過程に比べても、時間が短縮する。
【００８３】
一方で、上述の位置検出システムＰＭでは、ＬＥＤ２３ＡとＬＥＤ２３Ｂとの２個の光源の点灯で、影の全個数が３個以上の場合、２回目となる次の点灯（ＬＥＤ２３Ｃの点灯）が行われる。そして、ＬＥＤ２３ＡとＬＥＤ２３Ｂとによる点灯で生じた影のデータと、２回目以降のＬＥＤ２３Ｃの点灯で生じた影のデータとで、複数の対象物の位置を検出する。
【００８４】
このようになっていると、マルチタッチでの対象物の位置検出時間（検出周期）が短縮される。通常、２個のＬＥＤ２３Ａ・２３Ｂに基づく影の全個数が３個以上の場合、対象物は２個以上である。そのため、このような場合に限って、位置検出に要する２回目の点灯が行われ、その点灯により生じた影を用いて、位置検出ユニット１２が、複数の対象物の位置検出を行う。つまり、この位置検出システムＰＭは、対象物が２個以上の場合、時間を延長させて位置検出を行うが、それ以外の場合は位置検出時間を短縮させる。
【００８５】
また、この位置検出システムＰＭでは、図１に示すように、マルチタッチでの対象物の位置検出のために、２回の点灯および２回の消灯しか行われない。つまり、この位置検出システムＰＭでのマルチタッチの位置検出過程は、上述の比較例１でのマルチタッチの位置検出過程に比べて、３３％程度の時間短縮が図れる。
【００８６】
［第２実施形態］
第２実施形態について説明する。なお、第１実施形態で用いた部材と同様の機能を有する部材については同一の符号を付記し、その説明を省略する。
【００８７】
第１実施形態で、図１のフローチャートを用いて説明したシングルタッチおよびマルチタッチ以外の位置検出もある。例えば、図４のフローチャートに示すような位置検出過程である。
【００８８】
詳説すると、位置検出ユニット１２では、検知管理部１４が、ＬＥＤドライバー１７を介して、図４に示すように、ＬＥＤ２３Ａを発光させる（STEP２１）。すると、図５Ａに示されるように、対象物（１）（２）に対するＬＥＤ２３Ａの光で、２個の影が生じる。そして、検知管理部１４は、ラインセンサユニット２２Ｕの受光データから影の数を数え、１つのＬＥＤ２３Ａによって生じた影の数を、２個とカウントする（STEP２２；［影カウント工程］）。その後、検知管理部１４は、ＬＥＤ２３Ａを消灯させる（STEP２３）。
【００８９】
次に、検知管理部１４は、ＬＥＤドライバー１７を介して、ＬＥＤ２３Ｂを発光させる（STEP２４）。すると、図５Ｂに示されるように、対象物（１）（２）に対するＬＥＤ２３Ｂの光で、２個の影が生じる。そして、検知管理部１４は、ラインセンサユニット２２Ｕの受光データから影の数を数え、１つのＬＥＤ２３Ｂによって生じた影の数を、２個とカウントする（STEP２５；［影カウント工程］）。その後、検知管理部１４は、ＬＥＤ２３Ｂを消灯させる（STEP２６）。
【００９０】
ここで、検知管理部１４は、ＬＥＤ２３Ａに基づく影の個数と、ＬＥＤ２３Ｂに基づく影の個数との合計個数をカウントし、その個数が“０”個か否かを判断する（STEP２７；［対象物有無判断工程］）。例えば、影の個数が“０”個であったならば、対象物が座標マップ領域ＭＡには置かれていないので、検知管理部１４は、再び、ＬＥＤ２３Ａを点灯させ、継続して影の個数を数えられる状態になる（STEP２７のＹＥＳ）。
【００９１】
さらに、検知管理部１４が、影の個数を“０”個ではないと判断した場合、次に、影の個数が“２”個であるか否かを判断する（STEP２８；［対象物個数判断工程］）。例えば、影の個数が“２”個であったならば、ＬＥＤ２３Ａに基づく対象物の影は１つで、ＬＥＤ２３Ｂに基づく対象物の影も１つであり、対象物は１つだけになる。そのような場合、すなわち、検知管理部１４が、影の個数を“２”個であると判断すると（STEP２８のＹＥＳ）、その２個の影に関する特定区画データを結線設定部１５に送信する［特定区画データ設定工程］。そして、以降、対象物が１個である、いわゆるシングルタッチとしての処理が進行する（STEP２９）。
【００９２】
すなわち、結線設定部１５が、ＬＥＤ２３Ａの光で生じた影に基づく特定区画データから、結線Ｌａ１を設定し、さらに、ＬＥＤ２３Ｂの光で生じた影に基づく特定区画データから、結線Ｌｂ１を設定する［結線設定工程］。そして、この結線Ｌａ１・Ｌｂ１のデータが、結線設定部１５から位置特定部１６に送信される。そして、位置特定部１６は、結線設定部１５から送信された結線データから、結線Ｌ同士の交点を特定し、その交点の１箇所を対象物（１）の位置として特定する［位置特定工程］。
【００９３】
一方で、検知管理部１４が、影の個数を“２”個ではない（詳説すると、３個以上）と判断した場合（STEP２８のＮＯ）、それらの影に関する特定区画データを結線設定部１５に送信する［特定区画データ設定工程］。例えば、図５Ａおよび図５Ｂのように、２回のＬＥＤの点灯で、合計４個の影が生じている場合、検知管理部１４は、４個の特定区画データを、結線設定部１５に送信する。その後、検知管理部１４は、図５Ｃに示すように、ＬＥＤ２３Ｃを点灯させる(STEP３０)。
【００９４】
すると、対象物（１）（２）に対するＬＥＤ２３Ｃの光で、２個の影が生じる。そこで、検知管理部１４は、ラインセンサユニット２２Ｕの受光データから影の数を数え、影の数は２個であると判断する（STEP３１；［影カウント工程］）。さらに、検知管理部１４は、２個の影に関する特定区画データを結線設定部１５に送信する｛なお、影の数がカウントされた後、検知管理部１４は、ＬＥＤ２３Ｃを消灯させる（STEP３２）｝。
【００９５】
そして、以降、対象物が複数個（例えば２個）である、いわゆるマルチタッチとしての処理が進行する（STEP３３）。詳説すると、結線設定部１５が、ＬＥＤ２３Ａ〜２３Ｃの光で生じた影に基づく特定区画データから、結線Ｌ（Ｌａ１・Ｌｂ１・Ｌｃ１・Ｌａ２・Ｌｂ２・Ｌｃ２）を設定する［結線設定工程］。そして、位置特定部１６は、結線設定部１５から送信された結線データから、結線Ｌ同士の交点を設定する。そして、上述した図３に示すように、位置特定部１６は、１１個の交点ＩＰのうち、３個の交点ＩＰの密集する箇所を、２箇所特定する。そして、これら２箇所が、指等の対象物（１）（２）の位置と特定される。［位置特定工程］。
【００９６】
総括すると、位置検出ユニット１２は、複数有るＬＥＤ２３Ａ〜２３Ｃを、複数の組、例えば、ＬＥＤ２３Ａという単数個のＬＥＤ２３を含む１組［１個型組］と、ＬＥＤ２３Ｂという単数個のＬＥＤ２３を含む１組［１個型組］と、ＬＥＤ２３Ｃという単数個のＬＥＤ２３を含む１組［１個型組］と、に分け、組毎に点灯させる。さらに、位置検出ユニット１２は、１回目および２回目の点灯で、対象物を基に生じ、ラインセンサユニット２２Ｕで検出される影の全個数に応じて、次の点灯の有無を決定する（すなわち、［対象物有無判断工程］および［対象物個数判断工程］は、［点灯決定工程］ともいえる）。
【００９７】
すなわち、検知管理部１４は、ＬＥＤ２３Ａ〜２３Ｃを個別に分け、１回目にＬＥＤ２３Ａ点灯させ、２回目にＬＥＤ２３Ｂを点灯させる。そして、それらの点灯で生じる影の全個数が０個または２個の場合、検知管理部１４は３回目となる次の点灯（ＬＥＤ２３Ｃの点灯）を行なわず、ＬＥＤ２３ＡとＬＥＤ２３Ｂとの２回の点灯で生じた影のデータで、単数の対象物の位置を検出する。
【００９８】
このようになっていると、図４のフローチャートに示されるような、シングルタッチでの対象物の位置検出は、第１実施形態同様に、比較的短時間で位置検出できる（例えば、上述の比較例１のような３個のＬＥＤを個別に点灯させて、シングルタッチの位置検出が行われる場合に比べて、図４のフローチャートに示すシングルタッチでの対象物の位置検出時間は短くなる）。
【００９９】
一方で、上述の位置検出システムＰＭでは、ＬＥＤ２３Ａよる１回目の点灯と、ＬＥＤ２３Ｂによる２回目の点灯とで、影の全個数が３個以上の場合、３回目となる次の点灯が行われ、１回目のＬＥＤ２３Ａおよび２回目のＬＥＤ２３Ｂによる点灯で生じた影のデータと、３回目以降のＬＥＤ２３Ｃによる点灯で生じた影のデータとで、複数の対象物の位置を検出する。
【０１００】
このようになっていると、図５Ａ〜図５Ｃのように、対象物（１）（２）は、常に、単数のＬＥＤ２３で照らされるために、ラインセンサユニット２２Ｕに検出される影の暗さ（暗度）は濃い。すなわち、１つのＬＥＤ２３によって生じた影が、別のＬＥＤ２３によって照らされることがない。そのため、ラインセンサユニット２２Ｕの影の検出精度（すなわち、特定区画データの精度）が高まり、ひいては、結線データの精度が高まる。その結果、結線データ(結線Ｌ)の交点ＩＰから求められる対象物の位置検出精度も高まる。
【０１０１】
なお、マルチタッチでの対象物の位置検出は、例えば、指等のゼスチャー動作が想定される。このようなゼスチャー動作は、例えばペン入力動作に比べて高速ではない。そのため、第１実施形態でのマルチタッチの位置検出時間（図１参照）に比べて、第２実施形態でのマルチタッチの位置検出時間（図４参照）が長かったとしても、弊害は軽微である（もちろん、第１実施形態でのマルチタッチの位置検出時間のように、短いほうが望ましいことはいうまでもない）。
【０１０２】
［その他の実施形態］
なお、本発明は上記の実施形態に限定されず、本発明の趣旨を逸脱しない範囲で、種々の変更が可能である。
【０１０３】
例えば、位置検出システムＰＭにおけるラインセンサユニット２２Ｕは、図６、図７等に示すように、保護基板２１上に位置するとは限らない。一例を挙げるなら、図１１に示すような、位置検出システムＰＭもあり得る。
【０１０４】
すなわち、図６、図７等での保護基板２１上に位置するラインセンサ２２Ａに換わって線状の反射ミラー２４Ａが位置し、ラインセンサ２２Ｂに換わって線状の反射ミラー２４Ｂが位置し、ラインセンサ２２Ｃに換わって線状の反射ミラー２４Ｃが位置する。さらに、ラインセンサ２２Ａ〜２２Ｃは、反射ミラー２４Ａ〜２４Ｃに重なりつつ、アクティブマトリックス基板４２に配置される。
【０１０５】
そして、これら反射ミラー２４Ａ〜２４Ｃ（反射ミラーセット２４Ｕ）は、反射ミラー２４Ａのミラー面を、ＬＥＤユニット２３Ｕの光を受光できるように傾けつつ、ラインセンサ２２Ａの受光面に向け、反射ミラー２４Ｂのミラー面をＬＥＤユニット２３Ｕの光を受光できるように傾けつつ、ラインセンサ２２Ｂの受光面に向け、さらに、反射ミラー２４Ｃのミラー面を、ＬＥＤユニット２３Ｕの光を受光できるように傾けつつ、ラインセンサ２２Ｃの受光面に向ける。
【０１０６】
なお、このような位置検出システムＰＭを含む液晶表示パネル４９では、座標マップ領域ＭＡは、アクティブマトリックス基板４２上に生じることになる。しかし、保護基板２１は、座標マップ領域ＭＡを覆うように位置するので、その保護基板２１上に置かれる対象物は、座標マップ領域ＭＡに重なる。そのため、図１１に示される位置検出システムＰＭであっても、対象物は、ＬＥＤユニッ２３Ｕの光を受けて影を生じさせ、ラインセンサユニット２２Ｕは、影によって変化した受光データを取得する。
【０１０７】
また、図２Ｂに示されるようなシングルタッチの場合、対象物（１）に起因する影の個数は２個であるが、例えばラインセンサ２２Ｃに近接して対象物（１）が位置すると、ラインセンサユニット２２Ｕが、ＬＥＤ２３Ａ・２３Ｂの点灯で生じる影を１個と検出することもあり得る。
【０１０８】
このような事態も考慮する場合、図１におけるSTEP４でのＮＯからSTEP６に至るまで、“影の個数は１？”といった判断工程が加えられればよい。
【０１０９】
また、以上では、点状光源として、発光素子であるＬＥＤ２３を例に挙げて説明したが、これに限定されるものではない。例えば、レーザ素子のような発光素子、あるいは、有機ＥＬ（Electro-Luminescence）または無機ＥＬのような自発光材料で形成される発光素子であってもかまわない。また、発光素子に限らず、ランプのような点状光源であってもかまわない。
【０１１０】
また、以上では、表示装置として、液晶表示装置６９を例に挙げているが、これに限定されるものではない。例えば、プラズマディスプレイ装置、または電子黒板のような、他の表示装置に、位置検出システムＰＭが搭載されてもよい。
【０１１１】
ところで、以上のような位置検出は、位置検出プログラムで実現される。そして、このプログラムは、コンピュータにて実行可能なプログラムであり、コンピュータに読み取り可能な記録媒体に記録されてもよい。なぜなら、記録媒体に記録されたプログラムは、持ち運び自在になるためである。
【０１１２】
なお、この記録媒体としては、例えば分離される磁気テープやカセットテープ等のテープ系、磁気ディスクやＣＤ−ＲＯＭ等の光ディスクのディスク系、ＩＣカード（メモリカードを含む）や光カード等のカード系、あるいはフラッシュメモリ等による半導体メモリ系が挙げられる。
【０１１３】
また、マイコンユニット１１は、通信ネットワークからの通信で位置検出制御プログラムを取得してもよい。なお、通信ネットワークとしては、有線無線を問わず、インターネット、赤外線通等が挙げられる。
【符号の説明】
【０１１４】
ＰＭ        位置検出システム
１１        マイコンユニット
１２        位置検出ユニット
１３        メモリ
１４        検知管理部
１５        結線設定部
１６        位置特定部
１７        ＬＥＤドライバー
２１        保護シート
２２        ラインセンサ（受光センサ）
２２Ａ      ラインセンサ
２２Ｂ      ラインセンサ
２２Ｃ      ラインセンサ
２２Ｕ      ラインセンサユニット（受光センサユニット）
ＭＡ        座標マップ領域
２３        ＬＥＤ（光源）
２３Ｕ      ＬＥＤユニット（光源ユニット）
Ｌ          結線
ＩＰ        交点
４９        液晶表示パネル（表示パネル、タッチパネル）
５９        バックライトユニット（照明装置）
６９        液晶表示装置（表示装置）
【図１】
0005406935.tif 000002
【図３】
0005406935.tif 000003
【図４】
0005406935.tif 000004
【図６】
0005406935.tif 000005
【図７】
0005406935.tif 000006
【図８】
0005406935.tif 000007
【図１１】
0005406935.tif 000008
【図１２】
0005406935.tif 000009
【図１３】
0005406935.tif 000010
【図１４】
0005406935.tif 000011
【図２】
0005406935.tif 000012
【図５】
0005406935.tif 000013
【図９】
0005406935.tif 000014
【図１０】
0005406935.tif 000015